(57)【要約】      （修正有）【課題】ファクシミリ送信に際しての誤送信の防止度が高く、誤送信防止度が高い送信に際して煩瑣な手間が掛からないファクシミリ送信方法を提供する。【解決手段】予備段階と本送信段階とを具備するファクシミリ送信方法であって、前記予備段階は、ファクシミリ装置Ａがファクシミリ装置Ｘに所定の情報Ｉを送信する情報Ｉ送信ステップと、前記情報Ｉが間違いなく届いたか否かの確認が行われる確認ステップと、該ファクシミリ装置Ｘから受信するＣＳＩ情報受信ステップと、前記本送信段階は、該本送信段階における前記ＣＳＩ情報受信ステップで受信したＣＳＩ情報と前記予備段階におけるＣＳＩ情報保存ステップで前記メモリに保存されているＣＳＩ情報とが一致するか否かを前記ファクシミリ装置Ａが判断する判断ステップとを具備し、前記判断ステップにおいてＣＳＩ情報が一致の判断がなされた場合、送信ステップが続行されるファクシミリ送信方法。【選択図】図５
2011119880.tif 000002
【特許請求の範囲】
【請求項１】
予備段階と本送信段階とを具備するファクシミリ送信方法であって、
前記予備段階は、
ファクシミリ装置Ａがファクシミリ装置Ｘに所定の情報Ｉ０を送信する情報Ｉ０送信ステップと、
前記情報Ｉ０送信ステップ完了後、前記ファクシミリ装置Ａのユーザから前記ファクシミリ装置Ｘのユーザに前記情報Ｉ０が間違いなく届いたか否かの確認が行われる確認ステップと、
前記ファクシミリ装置Ａが前記ファクシミリ装置Ｘに前記情報Ｉ０を送信するに際して、該ファクシミリ装置Ｘから該ファクシミリ装置ＸのＣＳＩ情報を該ファクシミリ装置Ａが受信するＣＳＩ情報受信ステップと、
前記ＣＳＩ情報受信ステップで受信したＣＳＩ情報を前記ファクシミリ装置Ａが該ファクシミリ装置Ａのメモリに保存するＣＳＩ情報保存ステップ
とを具備してなり、
前記本送信段階は、
ファクシミリ装置Ａがファクシミリ装置Ｘに目的情報Ｉ１を送信する情報Ｉ１送信ステップと、
前記ファクシミリ装置Ａが前記ファクシミリ装置Ｘに前記目的情報Ｉ１を送信するに際して、該ファクシミリ装置Ｘから該ファクシミリ装置ＸのＣＳＩ情報を該ファクシミリ装置Ａが受信するＣＳＩ情報受信ステップと、
該本送信段階における前記ＣＳＩ情報受信ステップで受信したＣＳＩ情報と、前記予備段階におけるＣＳＩ情報保存ステップで前記メモリに保存されているＣＳＩ情報とが一致するか否かを前記ファクシミリ装置Ａが判断する判断ステップ
とを具備してなり、
前記判断ステップにおいてＣＳＩ情報が一致の判断がなされた場合、前記目的情報Ｉ１送信ステップが続行され、ファクシミリ装置Ａからファクシミリ装置Ｘに該目的情報Ｉ１が送信されて完了するよう構成されてなることを特徴とするファクシミリ送信方法。
【請求項２】
予備段階は、情報Ｉ０送信ステップに際して指定された送信設定情報が保存される送信設定情報保存ステップを更に具備し、
本送信段階の情報Ｉ１送信ステップに際しては前記送信設定情報保存ステップで保存されている情報が利用されることを特徴とする請求項１のファクシミリ送信方法。
【発明の詳細な説明】
【技術分野】
【０００１】
本発明はファクシミリ送信方法に関する。
【背景技術】
【０００２】
ファクシミリ送信時における相手先電話番号（ＦＡＸ番号）の入力には、利用者が、外部キーやタッチパネルといった端末を操作し、直接、相手先の電話番号（ＦＡＸ番号）を入力したり、ファクシミリ装置のメモリに電話番号（ＦＡＸ番号）を予め保存しておき、送信操作を行う際に所望の情報（ＦＡＸ番号）をワンタッチキーや短縮キーを使って選択するのが一般的である。
【０００３】
しかしながら、このような方法では、相手先電話番号の入力ミス等の要因により、間違いなく相手先に送信できない恐れも有った。このようなことから、特に、金融業等の業界において、秘匿性が高い原稿の場合には、そのような原稿を送信する前に、先ず、白紙等の原稿を相手先のファクシミリ装置にテスト送信し、確実にファクシミリが届いたことを相手先に電話などで確認してから本番の原稿を送信するといった運用を行っている。この方法は、相手先電話番号の入力ミスと言った人的要因による誤送信が抑えられる。しかしながら、交換機における不具合により、例えば信号レベルでダイヤルデータが変化した場合には、誤送信を防ぐことが出来ない。
【０００４】
ところで、ファクシミリ送信時に相手のＣＳＩ（Called Subscriber ID：被呼加入者識別信号）より回線状態を予測することによって、トレーニング信号によるフォールバック時間の無駄を防ぎ、通信時間及び回線使用を削減することを目的として、ファクシミリ送信において受信側から送信されるＣＣＩＴＴＴ３０で規定される被呼加入者識別信号（ＣＳＩ）を記憶する第１の記憶回路と、前送信における回線速度を記憶する第２の記憶回路と、別送信時に検出されたＣＳＩと前送信において記憶されたＣＳＩを比較する比較回路と、該比較回路による比較結果ＣＳＩが一致していた場合に、前送信時の回線スピードよりフォールバック及びステップアップを行う回路とを有することを特徴とするファクシミリ装置が提案（特開平５−１４６６１号公報）されている。
【０００５】
又、電話番号入力ミスによる誤送信を防止することを目的として、相手先ファクシミリの電話番号を入力した時、該相手先ファクシミリから送信されてくるＣＳＩ，ＲＴＩ（Receiver Terminal Identification：送信先確認表示）の情報を取得し、該取得したＣＳＩ，ＲＴＩの情報を表示することを特徴とするファクシミリ装置や、相手先ファクシミリの電話番号をワンタッチキーにて登録する時、該相手先ファクシミリの電話番号を入力し、該相手先ファクシミリから送信されてくるＣＳＩ，ＲＴＩの情報を取得し、該取得したＣＳＩ，ＲＴＩの情報を表示し、該表示したＣＳＩ，ＲＴＩの情報を確認してから前記相手先ファクシミリの電話番号をワンタッチキーにて登録することを特徴とするファクシミリ装置におけるワンタッチキー登録方法や、ファクシミリ送信時、相手先ファクシミリの電話番号を入力し、該電話番号に対応するＣＳＩ，ＲＴＩの情報が保存されている場合には、該保存されているＣＳＩ，ＲＴＩの情報を表示し、該表示したＣＳＩ，ＲＴＩの情報を確認し、前記電話番号に対応するＣＳＩ，ＲＴＩの情報が保存されていない場合には、前記相手先ファクシミリと通信を行って該相手先ファクシミリから送信されてくるＣＳＩ，ＲＴＩの情報を取得し、該取得したＣＳＩ，ＲＴＩの情報を保存し、該保存したＣＳＩ，ＲＴＩの情報を表示し、該表示したＣＳＩ，ＲＴＩの情報を確認してから前記相手先ファクシミリにファクシミリ送信することを特徴とするファクシミリ装置における送信方法が提案（特開２００２−１６７７４号公報）されている。
【０００６】
又、意図しない相手先に原稿を送信してしまう誤発呼を極力なくすことを目的として、他の装置と公衆電話回線網を介して原稿の送受信を行う機能を有する通信装置において、原稿の送信に先立ち、該原稿を送信しようとする相手先を示す相手先情報が指定された後、該相手先情報を記憶する相手先情報記憶手段と、前記相手先に対して、これから該原稿を送信する旨を伝達するとともに前記相手先が正しい送信先であるかを確認するための確認依頼原稿を送信する確認依頼原稿送信手段と、前記確認依頼原稿を受信した前記相手先から、該確認依頼原稿に対する回答としての確認済み原稿を受信した場合、該確認済み原稿の受信時に通知された相手先情報と、前記記憶した相手先情報とが一致するか否かを判断する相手先情報判断手段とを有し、前記相手先情報判断手段による判断の結果、両相手先情報が一致していた場合に、前記原稿を前記相手先に対して送信することを特徴とする通信装置が提案（特開２００８−１２４６６２号公報）されている。
【先行技術文献】
【特許文献】
【０００７】
【特許文献１】特開平５−１４６６１号公報
【特許文献２】特開２００２−１６７７４号公報
【特許文献３】特開２００８−１２４６６２号公報
【発明の概要】
【発明が解決しようとする課題】
【０００８】
ところで、特許文献１は、ＣＳＩより回線状態を予測することによって、トレーニング信号によるフォールバック時間の無駄を防ぎ、通信時間及び回線使用を削減することを目的とするに過ぎず、ファクシミリ送信に際しての誤送信を防止しようとしたものでは無い。又、特許文献１の技術では、ファクシミリ送信に際しての誤送信を防止できない。
【０００９】
特許文献２は、電話番号入力ミスによる誤送信を防止することを目的としている。すなわち、相手機（送信先）から受信したＣＳＩ情報をメモリに保存して置き、ファクシミリ送信に際して前記メモリに保存のＣＳＩ情報を読み出して画面に表示させ、目で確認することにより誤送信を防止するものである。しかしながら、このような手法では、誤送信防止の確実性が乏しい。例えば、ＣＳＩ情報が意味の無い記号・数字の場合、チェックの確実性は極めて乏しい。間違いが起き易い。更に言うならば、特許文献２のものは、相手先ファクシミリ装置の電話番号を入力した時に該相手先ファクシミリから送られて来るＣＳＩ情報を用いるものであるが、このＣＳＩ情報は送信側が本当に送ろうとした真の相手先のものであるか否かの確認がなされていない。つまり、相手先ファクシミリ装置の電話番号を入力した時にノイズが混じって真の相手先には届かず、例えばＸＸＸＸ−ＸＸＸＸにダイヤルしたにも拘らず、ノイズが入って、実は、ＸＸＸＸ−ＸＸＸＹのダイヤルをしたことになってしまい、その結果、間違った先に届いてしまい、この間違った所からのＣＳＩ情報が登録されてしまう恐れが有る。これでは、以後のファクシミリ送信は間違ったものとなってしまう。
【００１０】
特許文献３の技術は、送信しようとする本来の原稿の送信に先立ち、先ず、確認用原稿を相手側に送信し、そしてこの確認用原稿を受信した相手側から送り返して貰い、この送り返して貰った際のＣＳＩ情報と予め登録されているＣＳＩ情報とが一致するか否かを相手先情報判断手段で判断し、相手先情報判断手段が一致している旨の判断をした場合、本来の原稿を送信するようにしている。しかしながら、ここで問題になるのは、本来の原稿を送る際に、相手先から送られて来るＣＳＩ情報と登録済ＣＳＩ情報とのチェックがされていないことである。すなわち、秘密情報である本来の原稿の送信時には、誤送信防止のチェックがされていない。つまり、予備段階でのチェックがされたとは言え、本番ではチェックがされて無い。従って、本番にノイズが入った場合、誤送信の防止が図れない。又、特許文献３のものでは、本来の原稿を送信する度に、先ず、確認用原稿を相手先に送信し、そして相手側から確認用原稿を送り返して貰うと言った作業を要する。この作業は非常に煩瑣である。更には、早朝あるいは夜間の如く、相手先に人がいない場合には、確認用原稿を送り返して貰えないから、利用できない。すなわち、誤送信のチェックが不可能である。
【００１１】
従って、本発明が解決しようとする課題は上記問題点を解決することである。特に、ファクシミリ送信に際しての誤送信の防止度が高く、かつ、そのような誤送信防止度が高い送信に際して煩瑣な手間が掛からないファクシミリ送信方法を提供することである。
【課題を解決するための手段】
【００１２】
前記の課題は、
予備段階と本送信段階とを具備するファクシミリ送信方法であって、
前記予備段階は、
ファクシミリ装置Ａがファクシミリ装置Ｘに所定の情報Ｉ０を送信する情報Ｉ０送信ステップと、
前記情報Ｉ０送信ステップ完了後、前記ファクシミリ装置Ａのユーザから前記ファクシミリ装置Ｘのユーザに前記情報Ｉ０が間違いなく届いたか否かの確認が行われる確認ステップと、
前記ファクシミリ装置Ａが前記ファクシミリ装置Ｘに前記情報Ｉ０を送信するに際して、該ファクシミリ装置Ｘから該ファクシミリ装置ＸのＣＳＩ情報を該ファクシミリ装置Ａが受信するＣＳＩ情報受信ステップと、
前記ＣＳＩ情報受信ステップで受信したＣＳＩ情報を前記ファクシミリ装置Ａが該ファクシミリ装置Ａのメモリに保存するＣＳＩ情報保存ステップ
とを具備してなり、
前記本送信段階は、
ファクシミリ装置Ａがファクシミリ装置Ｘに目的情報Ｉ１を送信する情報Ｉ１送信ステップと、
前記ファクシミリ装置Ａが前記ファクシミリ装置Ｘに前記目的情報Ｉ１を送信するに際して、該ファクシミリ装置Ｘから該ファクシミリ装置ＸのＣＳＩ情報を該ファクシミリ装置Ａが受信するＣＳＩ情報受信ステップと、
該本送信段階における前記ＣＳＩ情報受信ステップで受信したＣＳＩ情報と、前記予備段階におけるＣＳＩ情報保存ステップで前記メモリに保存されているＣＳＩ情報とが一致するか否かを前記ファクシミリ装置Ａが判断する判断ステップ
とを具備してなり、
前記判断ステップにおいてＣＳＩ情報が一致の判断がなされた場合、前記目的情報Ｉ１送信ステップが続行され、ファクシミリ装置Ａからファクシミリ装置Ｘに該目的情報Ｉ１が送信されて完了するよう構成されてなることを特徴とするファクシミリ送信方法によって解決される。
【発明の効果】
【００１３】
本発明によれば、情報Ｉ１が秘匿されなければならないような秘密情報の場合、本来の相手先に間違いなくファクシミリ送信される。すなわち、誤送信の恐れが非常に少なくなる。例えば、前記特許文献２や特許文献３に残されている問題点が大幅に改善されている。
【００１４】
又、特許文献３の場合には、ファクシミリ送信先に人が居なければ送信できない。しかしながら、本発明では、本送信段階では無く、その前に行われる予備段階に人が居れば良く、即ち、本送信段階では人が居なくても送信可能であり、手間が大幅に掛からなくなる。
【００１５】
又、特許文献３の場合、ファクシミリ送信先（ファクシミリ装置Ｘ）のＣＳＩ情報を前以って知ってなければならないが、そのような要件が本発明では不要である。従って、汎用性が非常に高い。ユーザ利便性が非常に高い。
【図面の簡単な説明】
【００１６】
【図１】本発明が実施されるファクシミリ装置のブロック図
【図２】図１のファクシミリ装置が用いられた場合での本発明における予備段階の処理シーケンス
【図３】ステップ２０１における表示画面例
【図４】ステップ２０６における保存例
【図５】図１のファクシミリ装置が用いられた場合での本発明における本送信段階の処理シーケンス
【図６】本発明が実施されるファクシミリ装置のタッチパネル部の概略図
【図７】本発明が実施されるファクシミリ装置のタッチパネル部の概略図
【図８】本発明が実施される他のファクシミリ装置のブロック図
【図９】図８のファクシミリ装置が用いられた場合での本発明における予備段階の処理シーケンス
【図１０】図８のファクシミリ装置が用いられた場合での本発明における本送信段階の処理シーケンス
【図１１】本発明が実施される他のファクシミリ装置のブロック図
【図１２】図１１のファクシミリ装置が用いられた場合での本発明における予備段階の処理シーケンス
【図１３】本発明が実施されるファクシミリ装置のタッチパネル部の概略図
【発明を実施するための形態】
【００１７】
本発明はファクシミリ送信方法である。特に、誤送信を大幅に防ぐことが出来るファクシミリ送信方法である。例えば、テスト送信実行時に相手先ファクシミリ装置から受信したＣＳＩ情報を保存して置き、本送信の際には保存しておいたＣＳＩ情報を利用して相手先を確認することにより誤送信を防ぐファクシミリ送信方法である。本発明には、大きく分けて、二つの段階が有る。すなわち、相手先ファクシミリ装置のＣＳＩ情報を得る為の予備段階と、本番の送信段階とを有する。予備段階は、相手先ファクシミリ装置のＣＳＩ情報を得る為のものであるから、テスト送信段階と考えることも出来る。
【００１８】
上記予備段階は、ファクシミリ装置Ａがファクシミリ装置Ｘに所定の情報Ｉ０を送信する情報Ｉ０送信ステップを有する。又、前記ファクシミリ装置Ａが前記ファクシミリ装置Ｘに前記情報Ｉ０を送信するに際して、該ファクシミリ装置Ｘから該ファクシミリ装置ＸのＣＳＩ情報を該ファクシミリ装置Ａが受信するＣＳＩ情報受信ステップを有する。又、前記ＣＳＩ情報受信ステップで受信したＣＳＩ情報を前記ファクシミリ装置Ａが該ファクシミリ装置Ａのメモリに保存するＣＳＩ情報保存ステップを有する。更に、前記情報Ｉ０送信ステップ完了後、前記ファクシミリ装置Ａのユーザから前記ファクシミリ装置Ｘのユーザに前記情報Ｉ０が間違いなく届いたか否かの確認が行われる確認ステップを有する。尚、この確認ステップは、ファクシミリ装置を使わず、通常の電話機により相手先の電話機に対して通話を行い、前記情報Ｉ０のプリントが間違いなく渡ったか否かを問い質すことで実行される。その他の機械的装置による確認ステップであっても良いが、電話機を用いた通話による方法が、一番、確実、かつ、手っ取り早く実行できる。このような過程を経ることによって、ファクシミリ装置Ｘの正しいＣＳＩ情報がファクシミリ装置Ａのメモリに保存されるようになる。そして、本番のファクシミリ送信に際して、この間違いの無いＣＳＩ情報が利用される。勿論、この予備段階は、ファクシミリ装置Ｘの正しいＣＳＩ情報を得る為のものであるから、一度、メモリに登録されたならば、ファクシミリ装置Ｘにファクシミリ送信を行う場合には、予備段階は省略される。尚、ファクシミリ装置Ｘとは異なるファクシミリ装置Ｚに対して初めてファクシミリ送信をしようとした場合には、ファクシミリ装置Ｚの正しいＣＳＩ情報を得る為、予備段階から開始される。
【００１９】
上記本番の送信段階（本送信段階）は、ファクシミリ装置Ａがファクシミリ装置Ｘに目的情報Ｉ１を送信する情報Ｉ１送信ステップを有する。又、前記ファクシミリ装置Ａが前記ファクシミリ装置Ｘに前記目的情報Ｉ１を送信するに際して、該ファクシミリ装置Ｘから該ファクシミリ装置ＸのＣＳＩ情報を該ファクシミリ装置Ａが受信するＣＳＩ情報受信ステップを有する。又、本送信段階における前記ＣＳＩ情報受信ステップで受信したＣＳＩ情報と、前記予備段階におけるＣＳＩ情報保存ステップで前記メモリに保存されているＣＳＩ情報とが一致するか否かを前記ファクシミリ装置Ａが判断する判断ステップを有する。そして、前記判断ステップにおいてＣＳＩ情報が一致の判断がなされた場合、前記目的情報Ｉ１送信ステップが続行され、ファクシミリ装置Ａからファクシミリ装置Ｘに該目的情報Ｉ１が送信されて完了するよう構成されてなる。
【００２０】
上記ファクシミリ送信方法が実行されるファクシミリ装置は、ファクシミリ送信した際に相手先ファクシミリ装置から受信したＣＳＩ情報の保存機能を有する必要が有る。又、この保存したＣＳＩ情報と、情報送信本番の相手先ファクシミリ装置から受信したＣＳＩ情報とを対比（比較）判断する判断機能を有する必要が有る。そして、好ましくは、テスト送信時に利用者が指定した画質や倍率等の送信設定を保存可能な構成を有する。又、好ましくは、テスト送信時に相手先ファクシミリ装置から受信したＣＳＩ情報や、テスト送信時に利用者が指定した電話番号、画質や倍率等の送信設定を本番の送信時に再利用可能な構成を有する。又、好ましくは、テスト送信で取得した電話番号、ＣＳＩ情報を利用して送信することを選択可能な機能を有する。又、好ましくは、テスト送信で取得した電話番号、ＣＳＩ情報を利用して送信するか、又は電話番号のみを利用して送信するかの選択が可能な機能を有する。又、好ましくは、ワンタッチダイヤル登録時にテスト送信を可能とする機能を有する。又、好ましくは、取得したＣＳＩ情報をワンタッチダイヤルと関連付けて装置に保存可能な機能を有する。又、好ましくは、ワンタッチダイヤル登録時におけるテスト送信の結果、正しくファクシミリ送信できた場合にはワンタッチダイヤルに印を付け、本番の送信時に利用者がテスト送信できたワンタッチダイヤルであることを識別することが可能な機能を有する。又、好ましくは、確実に接続できた相手先ファクシミリ装置の電話番号と、ＣＳＩ情報とを内部に保持可能な機能を有すると共に、保持した情報を使って同じ相手先にリダイヤルすることが可能な機能を有する。
【００２１】
以下、更に詳しく説明する。
【００２２】
図１は本発明のファクシミリ送信方法が実行される装置のブロック図である。同図中、１００はファクシミリ装置（ファクシミリ装置Ａ）である。ファクシミリ装置（ファクシミリ装置Ａ）１００は、操作部１０１と、読み取り部１０２と、プリンタ部１０３と、通信部１０４と、情報メモリ部１０５と、メイン制御部１０６とを有する。操作部１０１は、タッチパネルや外部キーにより相手先ファクシミリ装置の電話番号の入力、或は送信指示等の操作を行う為のものである。読み取り部１０２は、ファクシミリ送信原稿を光学的に読み取り、電気信号のイメージデータとして取得するものである。プリンタ部１０３は、受信したファクシミリ画像のプリントを行うものである。通信部１０４は、データの送受信の為の通信符号化回路、通信モデム、網制御回路等から構成されるデータ送信・受信を行う為のものである。情報メモリ部１０５は、操作部１０１で入力された相手先ファクシミリ装置（ファクシミリ装置Ｘ）の電話番号などの情報を一時的に記憶する為のものである。この情報メモリ部１０５には、上記入力された相手先ファクシミリ装置（ファクシミリ装置Ｘ）の電話番号と、相手先ファクシミリ装置から受信したＣＳＩ情報とが保存可能に構成されている。特に、電話番号と受信したＣＳＩ情報とが関連付けられて保存可能に構成されている。メイン制御部１０６は、ファクシミリ装置１００全体の動作を制御する為のもので、例えばＣＰＵで構成される。そして、ファクシミリ装置（ファクシミリ装置Ａ）１００は、公衆回線網１０７を介して他のファクシミリ装置（ファクシミリ装置Ｘ）１０８に接続され、相互にファクシミリの送受信が可能となっている。
【００２３】
次に、図１のファクシミリ装置１００によるファクシミリ送信方法について説明する。
【００２４】
図２は、ユーザがファクシミリ送信時に入力した電話番号（ＦＡＸ番号）と、相手機から受信したＣＳＩ情報とを情報メモリ部１０５に保存する処理シーケンスを示すものである。言い換えるならば、予備段階の処理シーケンスを示すものである。
【００２５】
先ず、ユーザは、相手先ファクシミリ装置（ファクシミリ装置Ｘ）１０８に送信するテスト送信用の原稿を準備する。そして、操作部１０１の操作により電話番号（例えば、０３−ＸＸＸＸ−ＸＸＸＸ（図３参照））が入力される（ステップ２０１）。
【００２６】
次に、ユーザは、操作部１０１を操作し、ステップ２０１で入力された相手先ファクシミリ装置１０８に対して送信指示を行う。この送信指示により、原稿の読み取りが行われ、ファクシミリ送信が開始される（ステップ２０２，２０３）。
【００２７】
送信開始後、ＦＡＸプロトコルの送信シーケンスに則って動作が進む。そして、相手先ファクシミリ装置１０８から、画像データの送信前に、相手先ファクシミリ装置１０８のＣＳＩ情報が送信されて来るので、ファクシミリ装置１００は前記ＣＳＩ情報を受信する（ステップ２０４）。
【００２８】
相手先ファクシミリ装置１０８への送信が完了した場合には、ファクシミリ装置１００（メイン制御部１０６）は、ステップ２０１でユーザが入力した電話番号と、ステップ２０４で受信したＣＳＩ情報とを、関連付けて、情報メモリ部１０５に保存する（ステップ２０５，２０６）。ここでは、例えば図４のようなイメージで、電話番号、ＣＳＩ情報が保存される。尚、送信が正常に終了しなかった場合は、情報メモリ部１０５に電話番号やＣＳＩ情報の保存は行われない。又、ＣＳＩ情報に数値が含まれていない場合や全て空白文字であった場合には、相手先ファクシミリ装置１０８ではＣＳＩ情報が未登録であると判断し、この場合にも電話番号やＣＳＩ情報の保存は行われない。
【００２９】
さて、上記テスト送信（予備段階）が正常に終了した場合、ユーザ（ファクシミリ装置１００のユーザ）は相手先ファクシミリ装置１０８にファクシミリが正しく届いたか否かを確認する。これは、電話による音声通話で確認が簡単に出来る。尚、操作部１０１の操作により、情報メモリ部１０５に保存された電話番号やＣＳＩ情報は破棄可能な構成となっている。そして、ファクシミリ装置１０８の相手先に確認の結果、ファクシミリが届いていなかった場合（送信側から見れば通信が正常終了していても、ノイズ混入等により意図していない相手先にファクシミリが届いてしまったような場合）、テスト送信で保存した電話番号やＣＳＩ情報は破棄される。
【００３０】
図５は、図２の処理フローで保存された電話番号やＣＳＩ情報を利用してリダイヤルを行う際の処理フローを示すものである。
【００３１】
先ず、ユーザは、送信したい原稿を準備する。そして、操作部１０１を使って、前回送信した相手先への送信指示を行う（ステップ５０１）。この送信指示は、例えば図６のように表示されたタッチパネルにおける画面や、予め機能を割り当てた外部キーを押下する等の手段により行われる。図６では、ボタン６０１が押下されると、情報メモリ部１０５に保存された電話番号やＣＳＩ情報が利用され、ＣＳＩ相手先確認送信が行われる。ボタン６０２が押下された場合、ＣＳＩ相手先確認は行われずに情報メモリ部１０５に保存された電話番号のみが利用されてリダイヤルが行われる。
【００３２】
ここで、ユーザによるボタン６０１又はボタン６０２の押下で送信が開始される。そして、ステップ５０２以降の処理に移行する。ボタン６０１，６０２押下時は、図７のような画面が表示されてユーザに送信先（相手先）を識別可能としても良い。ボタン６０１，６０２押下時、情報メモリ部１０５に前回のテスト送信実行時に保存された電話番号が無い場合は処理が終了する（ステップ５０２）。ボタン６０１押下時（保存されたＣＳＩ情報を使ってＣＳＩ相手先確認送信を行う場合）は、情報メモリ部１０５に前回のテスト送信実行時に保存されたＣＳＩ情報が無い場合は処理を終了する（ステップ５０３，５０４）。ステップ５０２，５０３にて電話番号またはＣＳＩ情報が無い場合には、タッチパネル上に送信不可を表すエラーメッセージが表示されるようにしてもよい（ステップ５０５）。送信指示後は原稿の読み取りが行われ、ファクシミリ送信が開始される（ステップ５０６，５０７）。
【００３３】
送信開始後は、ＦＡＸプロトコルの送信シーケンスに則って動作が進む。例えば、画像データの送信前に、相手先ファクシミリ装置１０８からＣＳＩ情報が送信されて来るので、ファクシミリ装置１００はこれを受信する。（ステップ５０８）。
【００３４】
ボタン６０１押下時は、ファクシミリ装置１００（メイン制御部１０６：比較部：判断部）は、ステップ５０８で受信したＣＳＩ情報と、ファクシミリ装置１００の情報メモリ部１０５に保存されたＣＳＩ情報との比較を行う（ステップ５０９，５１０）。これにより、ユーザが意図したのとは異なるファクシミリ装置Ｚに発呼して無いかのチェックが行われる。そして、チェックの結果、ＣＳＩ情報が一致して無い場合は、電話番号不一致として通信異常と判断し、送信処理を終了する。相手先ファクシミリ装置１０８からＣＳＩ情報が受信できなかった場合も、ＣＳＩ情報不一致と判断（通信異常と判断）し、送信処理を終了する。
【００３５】
上記実施形態にあっては、予備段階で相手先から得たＣＳＩ情報に間違いの無いことが確認できており、そして本番送信に際してはこの間違いが無いＣＳＩ情報と、送信本番に際して得たＣＳＩ情報とを比較して送信するようにしてなるから、誤送信の恐れが非常に小さい。又、手間が掛からない。そして、ユーザ利便性が非常に高い。
【００３６】
図８〜図１０は本発明の第２の実施形態を示すものである。図８は、第２の実施形態で用いられるファクシミリ装置のブロック図である。図９は、ファクシミリ装置のユーザが相手先ファクシミリ装置の電話番号および送信設定を情報メモリ部に保存するまでの処理シーケンスである。図１０は、図９の処理フローにて保存された電話番号、ＣＳＩ情報、送信設定を再利用してリダイヤルを行う際の処理フローである。
【００３７】
本実施形態と前記実施形態とは基本的構成は殆ど同じである。図８中、８００はファクシミリ装置（ファクシミリ装置Ａ）である。ファクシミリ装置（ファクシミリ装置Ａ）８００は、操作部８０１と、読み取り部８０２と、プリンタ部８０３と、通信部８０４と、情報メモリ部８０５と、メイン制御部８０６とを有する。操作部８０１は、タッチパネルや外部キーにより相手先ファクシミリ装置の電話番号の入力、或は送信指示等の操作を行う為のものである。読み取り部８０２は、ファクシミリ送信原稿を光学的に読み取り、電気信号のイメージデータとして取得するものである。プリンタ部８０３は、受信したファクシミリ画像のプリントを行うものである。通信部８０４は、データの送受信の為の通信符号化回路、通信モデム、網制御回路等から構成されるデータ送信・受信を行う為のものである。情報メモリ部８０５は、操作部８０１で入力した相手先ファクシミリ装置（ファクシミリ装置Ｘ）の電話番号などの情報を一時的に記憶する為のものである。この情報メモリ部８０５には、上記入力された相手先ファクシミリ装置（ファクシミリ装置Ｘ）の電話番号と、相手先ファクシミリ装置から受信したＣＳＩ情報と、その他にも画質や倍率といった送信設定の情報が保存可能に構成されている。特に、これ等の情報は互いに関連付けられて保存可能に構成されている。メイン制御部１０６は、ファクシミリ装置１００全体の動作を制御する為のもので、例えばＣＰＵで構成される。そして、ファクシミリ装置（ファクシミリ装置Ａ）８００は、公衆回線網８０７を介して他のファクシミリ装置（ファクシミリ装置Ｘ）８０８に接続され、相互にファクシミリの送受信が可能となっている。
【００３８】
上記ファクシミリ装置のユーザが相手先ファクシミリ装置の電話番号および送信設定を情報メモリ部に保存するまでの処理シーケンスが示された図９と、前記実施形態の予備段階の処理シーケンスが示された図２との対比から判る通り、情報メモリ部に保存するまでの処理シーケンスは殆ど同じである。すなわち、ステップ９０６（図２ではステップ２０６）にて、電話番号、ＣＳＩ情報以外にも画質や倍率といった送信設定が保持される点が異なるに過ぎなので、このことを指摘する以外の詳細な説明は省略される。
【００３９】
又、図９の処理フローにて保存された電話番号、ＣＳＩ情報、送信設定が再利用されてリダイヤルを行う際の処理フローが示された図１０と、図５との対比から判る通り、ステップ１０１０にて、電話番号、ＣＳＩ情報以外にも画質や倍率といった送信設定が保持される点が異なる以外には大きな相違点は無いので、詳細な説明は省略される。
【００４０】
図１１〜図１２は本発明の第３の実施形態を示すものである。図１１は、第３の実施形態で用いられるファクシミリ装置のブロック図である。図１２は、ファクシミリ装置のユーザが相手先ファクシミリ装置の電話番号および送信設定を情報メモリ部に保存するまでの処理シーケンスである。
【００４１】
本実施形態と前記実施形態とは基本的構成は殆ど同じである。図１１中、１１００はファクシミリ装置（ファクシミリ装置Ａ）である。ファクシミリ装置（ファクシミリ装置Ａ）１１００は、操作部１１０１と、読み取り部１１０２と、プリンタ部１１０３と、通信部１１０４と、情報メモリ部１１０５と、メイン制御部１１０６と、記憶装置部１１０７とを有する。操作部１１０１は、タッチパネルや外部キーにより相手先ファクシミリ装置１１０８の電話番号の入力、或は送信指示等の操作を行う為のものである。読み取り部１１０２は、ファクシミリ送信原稿を光学的に読み取り、電気信号のイメージデータとして取得するものである。プリンタ部１１０３は、受信したファクシミリ画像のプリントを行うものである。通信部１１０４は、データの送受信の為の通信符号化回路、通信モデム、網制御回路等から構成されるデータ送信・受信を行う為のものである。情報メモリ部１１０５は、操作部１１０１で入力された相手先ファクシミリ装置（ファクシミリ装置Ｘ）の電話番号などの情報を一時的に記憶する為のものである。メイン制御部１０６は、ファクシミリ装置１１００全体の動作を制御する為のもので、例えばＣＰＵで構成される。記憶装置部１１０７は、登録したワンタッチダイヤルの電話番号や送信設定と言った情報を保存する為のものである。そして、ファクシミリ装置（ファクシミリ装置Ａ）１１００は、公衆回線網１１０８を介して他のファクシミリ装置（ファクシミリ装置Ｘ）１１０９に接続され、相互にファクシミリの送受信が可能となっている。この第３の実施形態で用いられるファクシミリ装置１１００は、ファクシミリ装置１１００にワンタッチダイヤル（予め登録しておいた電話番号や送信設定をタッチパネルのボタンや外部キー一つで呼び出してファクシミリ送信することができる機能）を登録する際にもテスト送信を可能とするものである。又、テスト送信時に取得したＣＳＩ情報がワンタッチダイヤルに関連付けて保存可能になっている。
【００４２】
上記ファクシミリ装置１１００のユーザがワンタッチダイヤル登録時にテスト送信を行い、相手先ファクシミリ装置１１０９から受信したＣＳＩ情報を記憶装置部１１０７にあるワンタッチダイヤル情報エリアに保存するまでの処理フローが、図１２に示される。
【００４３】
先ず、ユーザは、操作部１１０１により、ワンタッチダイヤルの登録指示を行い、相手先ファクシミリ装置の電話番号、画質や倍率などの送信設定を入力する（ステップ１２０１，１２０２）。
【００４４】
次に、ステップ１２０２で入力された電話番号、送信設定により、テスト送信の実行が指示される（ステップ１２０３）。テスト送信の実行には、例えば図１３のように表示されたタッチパネルの画面におけるテスト送信ボタン１３０１を押下することで行われる。
【００４５】
テスト送信指示後は原稿の読み取りが行われ、ファクシミリ送信が開始される（ステップ１２０４）。送信開始後、ＦＡＸプロトコルの送信シーケンスに則って動作が進む。そして、相手先ファクシミリ装置１１０９から画像データの送信前に送られて来たＣＳＩ情報をファクシミリ装置１１００は受信する。（ステップ１２０５）。
【００４６】
最後に、相手先ファクシミリ装置１１０９への送信が完了した場合には、ステップ１２０５で受信したＣＳＩ情報が、記憶装置部１１０７のワンタッチダイヤル情報エリアに保存される（ステップ１２０７）。
【００４７】
そして、例えばタッチパネル等にワンタッチダイヤルのボタンを表示するようなファクシミリ装置は、例えばワンタッチダイヤルのボタンの色を変更したり、ボタンに特定の文字を付加して表示する等の方法により、ＣＳＩ情報が保存されテスト送信が問題なく行えたワンタッチダイヤルであることを識別可能とすることも可能である。又、次回送信時には通信実績が有り、かつ、ＣＳＩ確認送信が可能なワンタッチを使用することも可能である。
【符号の説明】
【００４８】
１００      ファクシミリ装置（ファクシミリ装置Ａ）
１０１      操作部
１０２      読み取り部
１０３      プリンタ部
１０４      通信部
１０５      情報メモリ部
１０６      メイン制御部
１０７      公衆回線網
１０８      他のファクシミリ装置（ファクシミリ装置Ｘ）
【図１】
2011119880.tif 000003
【図２】
2011119880.tif 000004
【図３】
2011119880.tif 000005
【図４】
2011119880.tif 000006
【図５】
2011119880.tif 000007
【図６】
2011119880.tif 000008
【図７】
2011119880.tif 000009
【図８】
2011119880.tif 000010
【図９】
2011119880.tif 000011
【図１０】
2011119880.tif 000012
【図１１】
2011119880.tif 000013
【図１２】
2011119880.tif 000014
【図１３】
2011119880.tif 000015